(57)【要約】【課題】緊急時用の電池による通信を可能とし、緊急時における迅速な対応を可能とする携帯電話機を提供する。【解決手段】ＧＰＳ機能付き携帯電話機にＧＰＳ機能や通信等を可能とする十分な容量の緊急電池を内蔵することによって、従来の携帯電話機に付随する電池が外れている場合や電池容量がない場合であっても、ＧＰＳ機能によって測位を行いメールによって現在地を通知することができる。そのため親が子供にＧＰＳ機能付き携帯電話機を持たせている場合に、何らかの原因で電池が外れている、または電池容量がなくなっている時でも子供の居場所を知ることができ、誘拐等により行方のわからなくなっている人の捜索に役立つ等、防犯上の安全を増すことができる。【選択図】図１
2008153777.tif 000002
【特許請求の範囲】
【請求項１】
自機の現在地を測位する測位手段と、測位結果を予め設定された送信先へ送信手段と、主電池と、前記主電池の取り外し又は前記主電池の電池残量の減少を検出する電池残量検出手段と、前記主電池が取り外されたとき又は前記主電池の電池残量が少なくなったとき、電力を供給する緊急電池とを有する携帯電話機において、
前記電池残量検出手段により前記主電池の取り外し又は前記主電池の電池残量の減少が検出されたとき、少なくとも前記測位手段及び前記送信手段を含む外見上認知されない機能のみを起動させ、前記測位手段は、自機の現在地を測位し、前記送信手段は、測位結果を予め設定された送信先へ送信することを特徴とする携帯電話機。
【請求項２】
ユーザからの操作を受け付ける操作手段を有し、
前記緊急電池から電力が供給されているとき、前記操作手段は、ユーザからの操作を受け付けないことを特徴とする請求項１記載の携帯電話機。
【請求項３】
前記緊急電池から電力が供給されているとき、自機を起動させる時間間隔をカウントするタイマーを有し、
前記タイマーによるカウントに基づいて一定の時間間隔で自機を起動させ、前記送信手段による測位結果の送信後、再び自機の電源を落とすことを特徴とする請求項１又は２記載の携帯電話機。
【請求項４】
前記緊急電池から電力が供給されているときに自機を起動させる時間間隔を記憶する起動間隔記憶手段を有し、
前記タイマーによるカウントが前記起動間隔記憶手段に記憶された時間間隔に達したとき、自機を起動させることを特徴とする請求項３記載の携帯電話機。
【請求項５】
通信相手から情報を受信する受信手段を有し、
一定時間毎に自機が起動されたとき、前記受信手段は待ち受けを所定時間維持することを特徴とする請求項３又は４記載の携帯電話機。
【請求項６】
前記受信手段は、情報を受信中に所定時間が経過したとき、受信を継続し、受信終了後に待ち受けを解除することを特徴とする請求項５記載の携帯電話機。
【請求項７】
一定時間毎に自機が起動されているときに、待ち受けを実行する所定時間を記憶する所定時間記憶手段を有し、
前記受信手段は、前記所定時間記憶手段に記憶された所定時間待ち受けを維持することを特徴とする請求項５又は６記載の携帯電話機。
【請求項８】
前記送信手段は、自機の電源が落ちていること、一定時間毎に起動して測位結果を送信すること、及び一定時間毎に所定時間待ち受けを実行する旨のメッセージとともに、測位結果を送信することを特徴とする請求項５から７のいずれか１項記載の携帯電話機。
【請求項９】
前記送信手段は、自機の電源が落ちていること、及び一定時間毎に起動し、測位結果を送信する旨のメッセージとともに、測位結果を送信先に送信することを特徴とする請求項１から７のいずれか１項記載の携帯電話機。
【請求項１０】
前記送信手段による測位結果の送信後、前記電池残量検出手段によって前記主電池の取り外し又は前記主電池の電池残量の減少が検出されなかったとき、前記緊急電池からの電力の供給を停止し、前記主電池から電力の供給を開始することを特徴とする請求項１から９のいずれか１項記載の携帯電話機。
【請求項１１】
前記送信手段によって測位結果を送信する送信先を記憶する送信先記憶手段を有し、
前記送信手段は、前記送信先記憶手段に記憶された送信先に測位結果を送信することを特徴とする請求項１から１０のいずれか１項記載の携帯電話機。
【発明の詳細な説明】
【技術分野】
【０００１】
本発明は、携帯電話機に関し、特に、緊急時用の電池による通信を可能とし、緊急時における迅速な対応を可能とする携帯電話機に関する。
【背景技術】
【０００２】
従来のＧＰＳ機能付き携帯電話機の現在地の通知システムについて図２及び９を用いて説明する。なお、該通知システムは、ＧＰＳ機能付き携帯電話機の現在地の通知を要求する携帯電話機９０１、現在地の通知の要求を受け付けるサーバ９０２、ＧＰＳ機能付き携帯電話機の現在地を測位するＧＰＳ衛星９０３、及びＧＰＳ機能付き携帯電話機９０４を有して構成される。ＧＰＳとは、Global Positioning Systemの略であり、地球上の現在位置を調べるための衛星測位システムのことである。
【０００３】
まず、ユーザが携帯電話機９０１を操作し、ＧＰＳ機能付き携帯電話機９０４の現在地の通知をサーバ９０２に要求する。すると、サーバ９０２は、ＧＰＳ衛星９０３に対してＧＰＳ機能付き携帯電話機９０４の現在地の測位を要求する。ＧＰＳ衛星２０はＧＰＳ機能付き携帯電話機９０４のＧＰＳモジュール９０５から現在地を測位し、測位結果をサーバ９０２に送信する。最後に、サーバ９０２は携帯電話機９０１にＧＰＳ機能付き携帯電話機９０４の現在地を通知する。
【０００４】
この場合、携帯電話機９０１からサーバ９０２に現在地の通知を要求する問い合わせがあったとき、ＧＰＳ機能付き携帯電話機９０４の電源がＯＮされていることが必須である。そのため、ＧＰＳ機能付き携帯電話機９０４の電源がＯＦＦされているときは、ＧＰＳ機能付き携帯電話機９０４の現在地を確認することはできなかった。
【０００５】
そこで、ＧＰＳ機能付き携帯電話機９０４の電源がＯＦＦされている場合の対策として図２に示す方法が提案された。ユーザが予め設定しておいた一定時間毎（例えば、１時間）に、ＧＰＳ機能付き携帯電話機９０４を起動し、ＧＰＳモジュール９０５を用いてＧＰＳ衛星９０３と通信して測位を実行する。そして、ＧＰＳ機能付き携帯電話機９０４は、ユーザが予め設定しておいた宛先への測位結果の送信をサーバ２２に要求する。サーバ２２は、ユーザによって予め設定された宛先の携帯電話機９０１にＧＰＳ機能付き携帯電話機９０４の測位結果を通知する。
【０００６】
特許文献１では、特定通信先と通話している途中で、主電池の電池残量が少なくなり、通話を継続するのが困難な状態においても、予備電池から電力供給を行うことにより、特定通信先との通話を継続することができるため、特定の通信先として、緊急を要するような「１１０番」や「１１９番」等を登録しておくことにより、主電池の電池残量が少ない状態であっても常に特定通信先との通話を可能とする携帯端末が提案されている。
【０００７】
特許文献２では、携帯情報端末の情報を蓄積する携帯情報端末検索センターが、携帯情報端末の情報を検索要求に応じて通知する携帯情報端末検索サービスシステムであって、携帯情報端末が、携帯情報端末の待ち受け状態で起動する待ち受け状態タイマーと、携帯情報端末の電源がオフの状態で補助電源により起動する起動タイマーと、待ち受け状態タイマー又は起動タイマーが予め設定された値をカウントする毎に、位置情報を携帯情報端末センターに送信する送信手段と、を備え、携帯状態端末検索センターが、携帯情報端末が送信した位置情報を通知することにより、携帯情報端末の電源状態にかかわらず所在が不明になった携帯情報端末の現在の位置情報を所有者が知ることができる携帯情報端末検索サービスシステムが提案されている。
【０００８】
特許文献３では、第一の電池と第一の電池残量検出手段と第一の送受信部を具備した子機から電池残量情報の伝達を受ける、第二の送受信部と第二の電池残量表示部を具備した情報伝達装置であって、子機の情報伝達装置の電池残量が第二の閾値以下に低下した場合に、電池残量情報の伝達を受け取り、第二の電池残量表示部に子機の電池残量情報を表示する情報伝達装置が提案されている。
【特許文献１】特開２００２−３７４３２６号公報
【特許文献２】特開２００４−７１９４号公報
【特許文献３】特開２００５−６４５７１号公報
【発明の開示】
【発明が解決しようとする課題】
【０００９】
しかし、上記の発明は以下の問題を有している。
【００１０】
従来の携帯電話機は、電池が外れている場合若しくは電池容量がない場合は、自機を起動させることができないためＧＰＳ機能による測位や、測位結果のメール送信を行うことができないという問題があった。また、通常の携帯電話機には、メモリや設定を保存しておくためのバックアップ電池があるが、バックアップ電池の電力は小さいためＧＰＳ機能やメール送信を行うことはできない。
【００１１】
特許文献１には、特定通信先と通話している途中で、主電池の電池残量が少なくなり、通話を継続するのが困難な状態においても、予備電池から電力供給を行うことにより、特定通信先との通話を継続する技術が開示されているが、主電池が取り外され、かつ携帯電話機の電源が切られている状態で自機の端末の現在地を所定の連絡先に通知することは記載されていない。
【００１２】
特許文献２には、携帯情報端末の待ち受け状態で起動する待ち受け状態タイマーと、携帯情報端末の電源がオフの状態で補助電源により起動する起動タイマーと、待ち受け状態タイマー又は起動タイマーが予め設定された値をカウントする毎に、位置情報を携帯情報端末センターに送信する送信手段と、を有し、携帯状態端末検索センターが、携帯情報端末が送信した位置情報を通知する技術が開示されているが、起動タイマーにより補助電源により携帯電話機を起動させると、外見上又は音声等によって携帯電話機が補助電源により起動されたことが認知され、誘拐等により行方不明となっている子供を捜索する際に、犯人により携帯電話機の起動が検知され、補助電源が取り外されてしまう可能性がある。
【００１３】
そこで、本発明は、ＧＰＳ機能付き携帯電話機にＧＰＳ機能や通信等を可能とする十分な容量の緊急電池を内蔵することにより、従来の携帯電話機に付随する主電池が外された場合や電池容量がない場合であっても、緊急電池により携帯電話機を起動させ、かつ、外見上、携帯電話機の動作が認知されないＧＰＳ機能等のみを起動させ、ＧＰＳ機能によって現在地を測位し、測位結果を所定の送信先へメール送信し、現在地を通知することことにより、子供が誘拐等により行方が分からなくなった場合に、犯人に気付かれずに、携帯電話機の現在地を予め設定された連絡先へ通知することができるため、防犯上の安全を増すことができる携帯電話機を提案することを目的としている。
【課題を解決するための手段】
【００１４】
請求項１記載の発明は、自機の現在地を測位する測位手段と、測位結果を予め設定された送信先へ送信手段と、主電池と、前記主電池の取り外し又は前記主電池の電池残量の減少を検出する電池残量検出手段と、前記主電池が取り外されたとき又は前記主電池の電池残量が少なくなったとき、電力を供給する緊急電池とを有する携帯電話機において、前記電池残量検出手段により前記主電池の取り外し又は前記主電池の電池残量の減少が検出されたとき、少なくとも前記測位手段及び前記送信手段を含む外見上認知されない機能のみを起動させ、前記測位手段は、自機の現在地を測位し、前記送信手段は、測位結果を予め設定された送信先へ送信することを特徴とする。
【００１５】
請求項２記載の発明は、請求項１記載の携帯電話機において、ユーザからの操作を受け付ける操作手段を有し、前記緊急電池から電力が供給されているとき、前記操作手段は、ユーザからの操作を受け付けないことを特徴とする。
【００１６】
請求項３記載の発明は、請求項１又は２記載の携帯電話機において、前記緊急電池から電力が供給されているとき、自機を起動させる時間間隔をカウントするタイマーを有し、前記タイマーによるカウントに基づいて一定の時間間隔で自機を起動させ、前記送信手段による測位結果の送信後、再び自機の電源を落とすことを特徴とする。
【００１７】
請求項４記載の発明は、請求項３記載の携帯電話機において、前記緊急電池から電力が供給されているときに自機を起動させる時間間隔を記憶する起動間隔記憶手段を有し、前記タイマーによるカウントが前記起動間隔記憶手段に記憶された時間間隔に達したとき、自機を起動させることを特徴とする。
【００１８】
請求項５記載の発明は、請求項３又は４記載の携帯電話機において、通信相手から情報を受信する受信手段を有し、一定時間毎に自機が起動されたとき、前記受信手段は待ち受けを所定時間維持することを特徴とする。
【００１９】
請求項６記載の発明は、請求項５記載の携帯電話機において、前記受信手段は、情報を受信中に所定時間が経過したとき、受信を継続し、受信終了後に待ち受けを解除することを特徴とする。
【００２０】
請求項７記載の発明は、請求項５又は６記載の携帯電話機において、一定時間毎に自機が起動されているときに、待ち受けを実行する所定時間を記憶する所定時間記憶手段を有し、前記受信手段は、前記所定時間記憶手段に記憶された所定時間待ち受けを維持することを特徴とする。
【００２１】
請求項８記載の発明は、請求項５から７のいずれか１項記載の携帯電話機において、前記送信手段は、自機の電源が落ちていること、一定時間毎に起動して測位結果を送信すること、及び一定時間毎に所定時間待ち受けを実行する旨のメッセージとともに、測位結果を送信することを特徴とする。
【００２２】
請求項９記載の発明は、請求項１から７のいずれか１項記載の携帯電話機において、前記送信手段は、自機の電源が落ちていること、及び一定時間毎に起動し、測位結果を送信する旨のメッセージとともに、測位結果を送信先に送信することを特徴とする。
【００２３】
請求項１０記載の発明は、請求項１から９のいずれか１項記載の携帯電話機において、前記送信手段による測位結果の送信後、前記電池残量検出手段によって前記主電池の取り外し又は前記主電池の電池残量の減少が検出されなかったとき、前記緊急電池からの電力の供給を停止し、前記主電池から電力の供給を開始することを特徴とする。
【００２４】
請求項１１記載の発明は、請求項１から１０のいずれか１項記載の携帯電話機において、前記送信手段によって測位結果を送信する送信先を記憶する送信先記憶手段を有し、前記送信手段は、前記送信先記憶手段に記憶された送信先に測位結果を送信することを特徴とする。
【発明の効果】
【００２５】
本発明は、ＧＰＳ機能付き携帯電話機にＧＰＳ機能や通信等を可能とする十分な容量の緊急電池を内蔵することによって、従来の携帯電話機に付随する電池が外れている場合や電池容量がない場合であっても、ＧＰＳ機能によって測位を行いメールによって現在地を通知することができる。そのため親が子供にＧＰＳ機能付き携帯電話機を持たせている場合に、何らかの原因で電池が外れている、または電池容量がなくなっている時でも子供の居場所を知ることができ、誘拐等により行方のわからなくなっている人の捜索に役立つ等、防犯上の安全を増すことができる。
【発明を実施するための最良の形態】
【００２６】
以下、本発明の一実施形態に係るＧＰＳ機能付き携帯電話機の構成及び動作について説明する。
【００２７】
まず、本実施形態に係るＧＰＳ機能付き携帯電話機のハードウェア構成について図１及び図５を用いて説明する。
【００２８】
本実施形態に係るＧＰＳ機能付き携帯電話機は、ユーザからの要求を受け付ける操作部１００、自機に予め設定された設定値からなるテーブル（１１５，１１６）を格納するメモリ１１０、制御部１２０、ディスプレイ１３０、無線部１４０、アンテナ１４５、マイク１５０、スピーカ１６０、カメラ１７０、ＧＰＳモジュール１８０、電池１９０、緊急電池１９５、電池を切り替えるための切替回路（５９０，５９５）を内蔵する切替回路部１９６、充電回路部１９７、電源回路部１９８、及びコネクタ１９９を有して構成される。
【００２９】
また、切替回路部１９６は、電池１９０の電圧を検出する電圧検出器１９１、電池１９０のＯＮ／ＯＦＦを制御する切替回路５９０、緊急電池１９５のＯＮ／ＯＦＦを制御する切替回路５９５、切替回路（５９０，５９５）を制御する信号を発信する論理回路５９１、及び切替回路５９０へ入力される信号を反転させる反転回路５９２を有して構成される。
【００３０】
テーブル１１５は、表１に示すように、一定時間毎に自機をＯＮする時間情報、及びＧＰＳ機能による測位結果を送信する緊急連絡先を保持する。
【００３１】
【表１】
2008153777.tif 000003
【００３２】
テーブル１１６は、表２に示すように、電池１９０と緊急電池１９５の満充電値、及び通話やメール等、通常の携帯電話機の動作を実行するために最低限必要な電圧の閾値を保持する。
【００３３】
【表２】
2008153777.tif 000004
【００３４】
制御部１２０は、通話やメール等、通常の携帯電話機の機能を実行するために必要な電圧値（以下、電池レベルとする）を充電回路部１９７により測定する機能、充電回路部１９７において測定した電池レベルとテーブル１１６に保持する電圧値を比較し、緊急電池１９５が満充電のときはＨｉｇｈを出力、それ以外のときはＬｏｗを出力する機能、テーブル１１５に保持する時間情報に基づいて自機をＯＮさせる機能、ＧＰＳモジュール１８０を用いて自機の現在地を測位する機能、テーブル１１５に保持する緊急連絡先にＧＰＳモジュール１８０による測位結果をメール送信する機能、及び測位結果のメール送信後に自機の電源をＯＦＦする機能を有する。
【００３５】
ＧＰＳモジュール１８０は、ＧＰＳ衛星と通信を行い自機の現在地を示す測位結果を取得する機能を有する。
【００３６】
無線部１４０とアンテナ１４５は、テーブル１１５に保持する緊急連絡先にＧＰＳモジュール１８０によって取得した測位結果をメール送信するための無線電波を発信する機能を有する。
【００３７】
電池１９０は、携帯電話機に付随し、通話やメール等、通常の携帯電話機の機能を行うための電力を電源回路部１９８に供給する。
【００３８】
緊急電池１９５は、電池１９０が携帯電話機から外れている場合や電池１９０の電池容量が少なくなり通常の携帯電話機の機能を実行することができない場合に、電池１９０に代わって電源回路部１９８に電力を供給する。
【００３９】
また、緊急電池１９５は、何らかの原因で外部に装着する電池１９０が外れている場合若しくは電池容量がなくなっている場合のみ使用される電池である。したがって、電池１９０の電池容量がなくなった場合や電池１９０が取り外された場合であっても、電源回路部１９８は緊急電池１９５からの電力供給を受けてＧＰＳモジュール１８０を起動させて測位を行い自機の現在地を示す情報を取得し、通信相手に通知することができる。
【００４０】
なお、緊急電池１９５から電源回路部１９８への電力供給が行われている間は、例えばＧＰＳ機能、メール機能、通話機能以外の機能の使用を制限し、余分な電力の消費を低減する。なお、緊急電池１９５からの電力供給が行われている間において、いずれの機能の使用を制限するかは予め設定されているものとしてもよいし、ユーザが任意に設定可能な構成としてもよい。
【００４１】
電圧検出器１９１は、電池１９０が低電圧状態になったときに、論理回路５９１に信号を出力する機能を有する。
【００４２】
充電回路部１９７は、電池１９０及び緊急電池１９５を充電する際の充電動作を制御する機能、及び電池１９０及び緊急電池１９５の電池レベルを測定する機能を有する。
【００４３】
コネクタ１９９は、充電回路部１９７と接続され、電池１９０及び緊急電池１９５を充電させる際に、外部の充電器と自機を接続する機能を有する。
【００４４】
論理回路５９１は、ＯＲ回路であり、電圧検出器１９１及び制御部１２０からＨｉｇｈ又はＬｏｗの信号を受け取り、少なくともいずれか１つがＨｉｇｈのときにＨｉｇｈを出力し、いずれもＬｏｗのときにＬｏｗを出力する機能を有する。
【００４５】
反転回路５９２は、論理回路５９１からの出力値を反転して切替回路５９０へ入力する機能を有する。
【００４６】
切替回路５９０は、反転回路５９２からの入力値がＬｏｗの場合、電池１９０から電源回路部１９８への電力の供給や電池１９０への充電を実行する。また、反転回路５９２からの入力値がＨｉｇｈの場合は、電池１９０から電源回路部１９８への電力の供給や電池１９０への充電を停止させる。
【００４７】
切替回路５９５は、論理回路５９１からの入力値がＬｏｗの場合、電池１９５から電源回路部１９８への電力の供給や電池１９５への充電を実行する。また、論理回路５９１からの入力値がＨｉｇｈの場合は、電池１９５から電源回路部１９８への電力の供給や電池１９５の充電を停止させる。
【００４８】
切替回路（５９０，５９５）は、電池１９０及び緊急電池１９５のＯＮ／ＯＦＦを制御する回路であり、いずれか１つがＬｏｗのとき、他方はＨｉｇｈになっている。
【００４９】
次に、本実施形態に係るＧＰＳ機能付き携帯電話機の具体的な動作について図３及び図４を用いて説明する。
【００５０】
まず、ＧＰＳ機能付き携帯電話機のユーザは、操作部１００を操作して自機を一定時間間隔で起動させるための時間、及び起動させた後にＧＰＳ機能を用いて取得した現在地を示す測位結果をメール送信する緊急連絡先をテーブル１１５（表１に示す）に設定する（ステップＳ３０１）。なお、携帯電話機を起動させる時間間隔及び緊急連絡先が設定されていない場合は、以下の動作は実行されないものとする。
【００５１】
電圧検出器１９１は、常に、電池１９０の電池レベルを監視し、電池１９０の電池レベルがテーブル１１６（表２に示す）に設定された電池１９０の閾値より低いか否かを判断する（ステップＳ３０２）。電池１９０の電池レベルがテーブル１１６に設定された電池１９０の閾値よりも低くなった場合（ステップＳ３０２／ＹＥＳ）、具体的には、電池１９０が携帯電話機から外れた場合、又は電池１９０の電池容量が減少して閾値以上の電池レベルを維持することができなくなった場合、論理回路５９１は電力供給源を電池１９０から緊急電池１９５へ切り替えるための信号（Ｌｏｗ）を出力する（ステップＳ３０３）。
【００５２】
論理回路５９１からＬｏｗが出力されると、切替回路５９５へＬｏｗが入力されて緊急電池１９５から電源回路部１９８への電力の供給が実行される。同時に、論理回路５９１からのＬｏｗは反転回路５９２において反転され、切替回路５９０にはＨｉｇｈが入力されて電池１９０から電源回路部１９８への電力の供給が停止される。なお、緊急電池１９５から電源回路部１９８への電力の供給が行われている間は、制御部１２０はユーザ操作による電源の起動を受け付けない。
【００５３】
制御部１２０は、緊急電池１９５から電源回路部１９８への電力の供給が開始されると、図示しない電源起動タイマーをスタートさせ、表１に示すテーブル１１５に設定された起動間隔（例えば、１時間）が経過したか否かを判断する（ステップＳ３０４）。
【００５４】
電源起動タイマーがスタートされてから１時間を経過すると（ステップＳ３０４／ＹＥＳ）、制御部１２０は携帯電話機の電源を起動させる（ステップＳ３０５）。ただし、ステップＳ３０５において携帯電話機の電源が起動されても、制御部１２０は、ステップＳ３０７における測位結果のメール送信が終了するまで、外見上電源が起動していないように各部を動作させる。外見上電源が起動していないように各部を動作させることにより、例えば、子供を誘拐した犯人が携帯電話機を見ても現在地の通知を認知することができず、犯人に知られずに子供の居場所を特定することができる。
【００５５】
また、制御部１２０は、緊急電池１９５から電源回路部１９８への電力供給により携帯電話機が起動されている間は、外見上電源が起動していないように動作させると同時に、ＧＰＳ機能及びメール機能以外の機能の使用を制限し、緊急電池１９５の余分な電力の消費を低減する。なお、緊急電池１９５からの電力供給が行われている間において、いずれの機能の使用を制限するかは予め設定されているものとしてもよいし、ユーザが任意に設定可能な構成としてもよい。
【００５６】
ステップＳ３０５において携帯電話機の電源が起動されると、制御部１２０はＧＰＳモジュール１８０を用いて自機の現在地の測位を実行する（ステップＳ３０６）。ＧＰＳモジュール１８０によって現在地の測位を実行し、測位結果を取得すると、制御部１２０は取得した測位結果をテーブル１１５に予め設定された緊急連絡先へとメール送信する（ステップＳ３０７）。
【００５７】
なお、緊急連絡先の端末には、図４（ａ）に示すように、「緊急連絡！Ａさんの電源がＯＦＦになりました。１時間毎に位置情報を通知します。」等のメッセージ、及びＧＰＳモジュール１８０による測位結果が送信される。ここでは、測位結果として「http://navi.xxxx」等の測位結果を表す地図のＵＲＬが送信され、緊急連絡先の端末ではこのＵＲＬにアクセスすることによりメール送信元の携帯電話機の現在地を知ることができる（図４（ｂ）に示す）。
【００５８】
測位結果のメール送信が完了すると、制御部１２０は電圧検出器１９１による電池１９０の電池レベルがテーブル１１６に設定された電池１９０の閾値より低いか否かを判断する（ステップＳ３０８）。
【００５９】
電池１９０の電池レベルがテーブル１１６に設定された電池１９０の閾値以上になっていた場合（ステップＳ３０８／ＹＥＳ）、論理回路５９１は電力供給源を緊急電池１９５から電池１９０へ切り替えるための信号（Ｈｉｇｈ）を出力する。
【００６０】
論理回路５９１からＨｉｇｈが出力されると、切替回路５９５へＨｉｇｈが入力されて緊急電池１９５から電源回路部１９８への電力の供給は停止される。同時に、論理回路５９１からのＨｉｇｈは反転回路５９２において反転され、切替回路５９０にはＬｏｗが入力されて電池１９０から電源回路部１９８への電力の供給が開始される。なお、電池１９５から電源回路部１９８への電力の供給が開始されると、制御部１２０はユーザ操作による電源の起動を受け付ける。
【００６１】
一方、電池１９０の電池レベルがテーブル１１６に設定された電池１９０の閾値よりも低い場合（ステップＳ３０８／ＮＯ）、制御部１２０は、携帯電話機の電源を落とし（ステップＳ３０９）、再び電源起動タイマーをスタートさせ、テーブル１１５に設定された起動間隔が経過したか否かを判断する（ステップＳ３０４）。ステップＳ３０９において携帯電話機の電源を一旦落とすことにより、緊急電池１９５の電力を少しでも長持ちさせることができる。
【００６２】
次に、図５を用いて電池１９０及び緊急電池１９５を充電する動作について説明する。
【００６３】
充電器５００を携帯電話機のコネクタ１９９に接続する。充電器５００のコネクタ１９９への接続を検出すると、制御部１２０は、まず、充電回路部１９７を介して緊急電池１９５の現在の電圧値を検出し、テーブル１１６に格納された緊急電池１９５の満充電値（例えば、４Ｖ）と比較する。なお、現在の緊急電池１９５の電池レベルが満充電値に満たない場合、制御部１２０はＬｏｗを出力する。また、緊急電池１９５の電池レベルが満充電値に満たない場合は、電池１９０が携帯電話機から外れた場合、又は電池１９０の電池容量が減少して閾値以上の電池レベルを維持することができなくなった場合に該当するため、電圧検出器１９１からもＬｏｗが出力される。よって、論理回路５９１は、Ｌｏｗを出力して切替回路５９５を起動させて緊急電池１９５への充電を開始する。
【００６４】
緊急電池１９５への充電が終了すると、制御部からＨｉｇｈが出力され、論理回路５９１もＨｉｇｈを出力して切替回路５９０を起動させて電池１９０への充電を開始する。具体的には、制御部１２０は充電回路部１９７を介して緊急電池１９５の電圧値を読み出し、緊急電池１９５の電池レベルが満充電値に達したことを確認して論理回路５９１へＨｉｇｈを出力する。論理回路５９１によりＨｉｇｈが出力されるため、切替回路５９５は停止され、切替回路５９０が起動して電池１９０への充電が開始される。
【００６５】
上述の構成によれば、何らかの原因で電池が外れている場合又は電池容量がなくなっている場合でも、携帯電話機に内蔵する緊急電池によりＧＰＳ機能の測位を行い携帯電話機の場所を通知することができるため、防犯に役立たせることができる。
【００６６】
次に、他の実施形態に係るＧＰＳ機能付き携帯電話機の構成及び動作について説明する。なお、本実施形態に係るＧＰＳ機能付き携帯電話機の構成は、テーブル１１５に格納される設定以外、図１及び図５に示した上述の実施形態に係るＧＰＳ機能付き携帯電話機の構成と同様とであるため、ここでは説明を省略する。
【００６７】
まず、テーブル１１５に設定される情報について説明する。本実施形態に係るテーブル１１５は、表３に示すように、一定時間毎に自機をＯＮする時間情報、ＧＰＳ機能による測位結果を送信する緊急連絡先、待ち受け状態を維持する待受時間、及び再び電源を落とすまでの待機時間を保持する。
【００６８】
【表３】
2008153777.tif 000005
【００６９】
次に、本実施形態に係るＧＰＳ機能付き携帯電話機の動作について図６〜８を用いて説明する。本実施形態では、電池が外れている又は電池容量がなく電源が入っていない携帯電話機を、定期的に起動して待受状態へと移行して通話やメールができる状態とし、一定時間後に再び電源が落ちることを特徴とする。
【００７０】
まず、ＧＰＳ機能付き携帯電話機のユーザは、操作部１００を操作して自機を一定時間間隔で起動させるための時間、起動させた後にＧＰＳ機能を用いて取得した現在地を示す測位結果をメール送信する緊急連絡先、待ち受け状態を維持する待受時間、及び再び電源を落とすまでの待機時間をテーブル１１５（表３に示す）に設定する（ステップＳ６０１）。なお、携帯電話機を起動させる時間間隔、緊急連絡先、待受時間、及び待機時間が設定されていない場合は、以下の動作は実行されないものとする。
【００７１】
電圧検出器１９１は、常に、電池１９０の電池レベルを監視し、電池１９０の電池レベルがテーブル１１６（表２に示す）に設定された電池１９０の閾値より低いか否かを判断する（ステップＳ６０２）。電池１９０の電池レベルがテーブル１１６に設定された電池１９０の閾値よりも低くなった場合（ステップＳ６０２／ＹＥＳ）、具体的には、電池１９０が携帯電話機から外れた場合、又は電池１９０の電池容量が減少して閾値以上の電池レベルを維持することができなくなった場合、論理回路５９１は電力供給源を電池１９０から緊急電池１９５へ切り替えるための信号（Ｌｏｗ）を出力する（ステップＳ６０３）。
【００７２】
論理回路５９１からＬｏｗが出力されると、切替回路５９５へＬｏｗが入力されて緊急電池１９５から電源回路部１９８への電力の供給が実行される。同時に、論理回路５９１からのＬｏｗは反転回路５９２において反転され、切替回路５９０にはＨｉｇｈが入力されて電池１９０から電源回路部１９８への電力の供給が停止される。なお、緊急電池１９５から電源回路部１９８への電力の供給が行われている間は、制御部１２０はユーザ操作による電源の起動を受け付けない。
【００７３】
緊急電池１９５から電源回路１９８への電力の供給が開始されると、制御部１２０はテーブル１１５に設定された緊急連絡先の端末へ、図７に示すように、「緊急連絡！Ａさんの電源がＯＦＦになりました。１時間毎に５分間だけ待ち受けします。」等の内容を伝えるメールを送信する（ステップＳ６０４）。なお、制御部１２０はテーブル１１５に設定された起動間隔及び待受時間を読み出して、それらの情報に基づいてメールを送信するものとする。
【００７４】
制御部１２０は、緊急電池１９５から電源回路部１９８への電力の供給が開始されると、図示しない電源起動タイマーをスタートさせ、表３に示すテーブル１１５に設定された起動間隔（例えば、１時間）が経過したか否かを判断する（ステップＳ６０５）。
【００７５】
電源起動タイマーがスタートされてから１時間を経過すると（ステップＳ６０５／ＹＥＳ）、制御部１２０は携帯電話機の電源を起動させる（ステップＳ６０６）。
【００７６】
携帯電話機の電源が起動されると、制御部１２０は図示しない待受タイマーをスタートさせ、テーブル１１５に設定された待受時間（例えば、５分間）が経過したか否かを判断する（ステップＳ６０７）。待受時間の間は、携帯電話機は通話やメール等の通信を行うことができる。例えば、ステップＳ６０４で通知したメール送信先からの返信があったり、任意の宛先に通信を行うことができる。なお、制御部１２０は、通信中に待受時間が経過した場合であっても通信を途中で強制終了させず、通信終了後に再び待受時間が経過したか否かを確認する（ステップＳ６０７）。
【００７７】
また、制御部１２０は、緊急電池１９５から電源回路部１９８への電力供給により携帯電話機が起動されている間は、ＧＰＳ機能、メール機能、及び通話機能以外の機能の使用を制限し、緊急電池１９５の余分な電力の消費を低減する。なお、緊急電池１９５からの電力供給が行われている間において、いずれの機能の使用を制限するかは予め設定されているものとしてもよいし、ユーザが任意に設定可能な構成としてもよい。
【００７８】
待受時間が経過すると（ステップＳ６０７／ＹＥＳ）、制御部１２０は電圧検出器１９１による電池１９０の電池レベルがテーブル１１６に設定された電池１９０の閾値より低いか否かを判断する（ステップＳ６０８）。
【００７９】
電池１９０の電池レベルがテーブル１１６に設定された電池１９０の閾値以上になっていた場合（ステップＳ６０８／ＹＥＳ）、論理回路５９１は電力供給源を緊急電池１９５から電池１９０へ切り替えるための信号（Ｈｉｇｈ）を出力する。
【００８０】
論理回路５９１からＨｉｇｈが出力されると、切替回路５９５へＨｉｇｈが入力されて緊急電池１９５から電源回路部１９８への電力の供給は停止される。同時に、論理回路５９１からのＨｉｇｈは反転回路５９２において反転され、切替回路５９０にはＬｏｗが入力されて電池１９０から電源回路部１９８への電力の供給が開始される。なお、電池１９５から電源回路部１９８への電力の供給が開始されると、制御部１２０はユーザ操作による電源の起動を受け付ける。
【００８１】
一方、電池１９０の電池レベルがテーブル１１６に設定された電池１９０の閾値よりも低い場合（ステップＳ６０８／ＮＯ）、制御部１２０は、図８（ａ）に示す「続けて通信を行いますか？」等のメッセージをディスプレイ１３０に表示させる（ステップＳ６０９）。ここで、操作部１００から通信を継続する旨の要求が入力された場合は（ステップＳ６０９／ＹＥＳ）、制御部１２０は図８（ｂ）に示す「待ち受け状態を継続します。」等のメッセージをディスプレイ１３０に表示させ、かつ緊急電池１９５から電源回路部１９８への電力の供給を継続して待受状態を継続する。
【００８２】
一方、ここで、操作部１００から通信を停止する旨の要求が入力された場合又はユーザによる要求が入力されなかった場合は（ステップＳ６０９／ＮＯ）、携帯電話機の電源を落とし（ステップＳ６１０）、再び電源起動タイマーをスタートさせ、テーブル１１５に設定された起動間隔が経過したか否かを判断する（ステップＳ６０５）。ステップＳ６１０において携帯電話機の電源を一旦落とすことにより、緊急電池１９５の電力を少しでも長持ちさせることができる。
【００８３】
上述の構成によれば、何らかの原因で電池が外れている場合又は電池容量がなくなっている場合でも、携帯電話機に内蔵する緊急電池により一時的に通話やメール等の通信を行うことができ、例えば災害時に電池切れとなった場合でも助けを呼ぶことができる。
【図面の簡単な説明】
【００８４】
【図１】本発明の一実施形態に係るＧＰＳ機能付き携帯電話機のハードウェア構成を示す図である。
【図２】従来の通知システムの構成を示す図である。
【図３】本実施形態に係るＧＰＳ機能付き携帯電話機の動作を示すフローチャートである。
【図４】（ａ）は測位結果の送信先の端末に表示されるメッセージの一例を示す図である。（ｂ）は測位結果の送信先の端末に表示される測位結果の一例を示す図である。
【図５】本実施形態に係るＧＰＳ機能付き携帯電話機の回路構成を示す図である。
【図６】他の実施形態に係るＧＰＳ機能付き携帯電話機の動作を示すフローチャートである。
【図７】緊急連絡先の端末に表示されるメッセージの一例を示す図である。
【図８】（ａ）通信を継続するか否かの選択をユーザに要求する画面の一例である。（ｂ）は通信の継続が選択された場合に表示される画面の一例である。
【図９】従来の通知システムの構成を示す図である。
【符号の説明】
【００８５】
１００    操作部
１１０    メモリ
１１５，１１６    テーブル
１２０    制御部
１３０    ディスプレイ
１４０    無線部
１４５    アンテナ
１５０    マイク
１６０    スピーカ
１７０    カメラ
１８０    ＧＰＳモジュール
１９０    電池
１９１    電圧検出器
１９５    緊急電池
１９６    切替回路部
１９７    充電回路部
１９８    電源回路部
１９９    コネクタ
５００    充電器
５９０，５９５    切替回路
５９１    論理回路
５９２    反転回路
【図１】
2008153777.tif 000006
【図２】
2008153777.tif 000007
【図３】
2008153777.tif 000008
【図４】
2008153777.tif 000009
【図５】
2008153777.tif 000010
【図６】
2008153777.tif 000011
【図７】
2008153777.tif 000012
【図８】
2008153777.tif 000013
【図９】
2008153777.tif 000014